(57)【特許請求の範囲】
【請求項１】
背凭れの背面側に一部に開口窓を有するカバーを設け、前記開口窓を介してカバー内に挿入した背支桿に背凭れをチルト動作可能に支持させてなるものにおいて、
前記カバーの開口窓の内縁と前記背支桿との隙間を塞ぐ位置に、背凭れのチルト動作を妨げないようにして遮蔽部材を配置しているとともに、
遮蔽部材が、背支桿の周囲に鍔状に張り出して開口窓と重合し、この遮蔽部材が、背支桿を通過させる孔と、この孔の一部を開放する開閉部とを形成する板状のものであり、その開閉部を押し広げた状態で孔内に背支桿を挿入し、開閉部を閉じた状態で背支桿の周囲を取り囲むように配置され、
背支桿が、カバーの開口窓近傍に凹部を有し、この凹部に遮蔽部材の一部を係わり合わせて取り付けるようにし、
さらに、前記遮蔽部材が、前記背支桿の凹部に係り合わせてなる掛け止め部を有し、この掛け止め部を前記凹部に係り合わせて遮蔽部材を密接にカバーの外面に重合させて固定することができることを特徴とする椅子。
【請求項２】
遮蔽部材が弾性変形可能な樹脂性のものであり、開閉部が孔の一部を開放する切り込みであることを特徴とする請求項１記載の椅子。
【請求項３】
遮蔽部材が、ヒンジ部を介して接続された複数の遮蔽要素からなり、開閉部が反ヒンジ端側において遮蔽要素同士が衝き合う位置に設定されていることを特徴とする請求項１記載の椅子。
【発明の詳細な説明】
【０００１】
【発明の属する技術分野】
本発明は、オフィス等で使用され、背凭れをチルト動作可能に背支桿に支持させてなる椅子に関するものである。
【０００２】
【従来の技術】
従来、ロッキング動作等に応じて背を支持するべく、背凭れがチルト動作する機構を持つ椅子として、背凭れと、この背凭れをチルト動作可能に背凭れの背面側から支持する背支桿と、この背支桿を前後に傾動可能に支持する座受け等の支持部材と、この支持部材に支持させた座とを具備したものが普及している。このようなものは、前記背支桿と背凭れとをチルト動作可能に結合した結合部分が露出して取り扱い上危険であるため、該結合部分を外側からカバーにより覆い隠すとともに外見を良好に保っている。そして、前記カバーを一部に開口窓を有するものとし、前記開口窓を介してカバー内に背支桿を挿入させ、開口窓の内縁と背支桿の間に可動隙間を設けて、該カバーが背凭れのチルト動作を妨げないようしている。
【０００３】
【発明が解決しようとする課題】
ところが、以上のような構成のカバーであると、前記隙間に指や衣服が入り込む余地があり、背凭れのチルト動作により、開口窓の内縁と背支桿との間で指等を挟んでしまうという危険性があった。
【０００４】
【課題を解決するための手段】
そこで、本発明は、上述した点に鑑みて、背凭れのチルト動作を妨げずに、コンパクトに隙間を塞いで該隙間に指等が入り込まないように構成した椅子を提供しようとするものである。
【０００５】
【発明の実施の形態】
すなわち、本発明の椅子は、背凭れの背面側に一部に開口窓を有するカバーを設け、前記開口窓を介してカバー内に挿入した背支桿に背凭れをチルト動作可能に支持させてなるものにおいて、前記カバーの開口窓の内縁と前記背支桿との隙間を塞ぐ位置に、背凭れのチルト動作を妨げないようにして遮蔽部材を配置しているとともに、遮蔽部材が、背支桿の周囲に鍔状に張り出して開口窓と重合し、この遮蔽部材が、背支桿を通過させる孔と、この孔の一部を開放する開閉部とを形成する板状のものであり、その開閉部を押し広げた状態で孔内に背支桿を挿入し、開閉部を閉じた状態で背支桿の周囲を取り囲むように配置され、背支桿が、カバーの開口窓近傍に凹部を有し、この凹部に遮蔽部材の一部を係わり合わせて取り付けるようにし、さらに、前記遮蔽部材が、前記背支桿の凹部に係り合わせてなる掛け止め部を有し、この掛け止め部を前記凹部に係り合わせて遮蔽部材を密接にカバーの外面に重合させて固定することができることを特徴とする。
【０００６】
このようなものであれば、ロッキング動作等に応じて背凭れがチルト動作する基本的な椅子の機能を損なわずに、部分的な構成で前記隙間を塞いで該隙間に指等が入り込まないようにすることができる。この結果、例えば、背凭れと背支桿との結合部分を背凭れの背面側全体に亘って大きなカバーで覆うような大がかりな構成を必要としないようになり、上述した効果を奏し得る椅子を簡単な対応でしかも低コストで提供することができる。勿論、このような遮蔽部材は、必ずしも前記隙間の全てを塞ぐものである必要はなく、例えば指を挟み易い箇所が背支桿の背面側とカバーの開口窓の内縁との隙間に限られていたり、或いは逆に背支桿の前面側とカバーの開口窓の内縁との隙間に限られているような場合には、部分的に遮蔽部材を配置しておくことも可能である。
【０００７】
また、遮蔽部材が、背支桿の周囲に鍔状に張り出して開口窓と重合するので、背支桿の前後の傾動動作及び背凭れのチルト動作により、背支桿に対して相対的に前後動する開口窓を簡単な構成で常に略完全に塞ぐようにすることができる。さらに、遮蔽部材が、背支桿を通過させる孔と、この孔の一部を開放する開閉部とを形成する板状のものであり、その開閉部を押し広げた状態で孔内に背支桿を挿入し、開閉部を閉じた状態で背支桿の周囲を取り囲むように配置されるので、従来品の椅子にも簡単に取り付けることもできる。加えて、背支桿が、カバーの開口窓近傍に凹部を有し、この凹部に遮蔽部材の一部を係わり合わせて取り付けるようにしているので、遮蔽部材が下方にずれ落ちることがないようにすることができる。そして、前記遮蔽部材が、前記背支桿の凹部に係り合わせてなる掛け止め部を有し、この掛け止め部を前記凹部に係り合わせて遮蔽部材を密接にカバーの外面に重合させて固定することができるので、遮蔽部材が下方にずれ落ちることがなくなるとともに、後付けが簡単であり、衣類等が隙間に入り込むのを有効に防止することができる。
【０００８】
具体的な実施の形態としては、遮蔽部材が弾性変形可能な樹脂性のものであり、開閉部が孔の一部を開放する切り込みであるものが挙げられる。
【０００９】
他の具体的な実施の形態としては、遮蔽部材が、ヒンジ部を介して接続された複数の遮蔽要素からなり、開閉部が反ヒンジ端側において遮蔽要素同士が衝き合う位置に設定されているものが挙げられる。
【００１１】
【実施例】
以下、本発明の実施例を、図面を参照して説明する。
【００１２】
図１に示す椅子１は、オフィス等で好適に使用され、図２に示すように、ロッキング動作に応じて背凭れ２がチルト動作する機構をもつものであり、前記背凭れ２をチルト動作可能に背凭れ２の背面側から支持する背支桿３と、この背支桿３を前後に傾動可能に支持する図示しない座受け等の支持部材と、この支持部材に支持された座５とを具備している。そして、前記背支桿３と背凭れ２のチルト動作を許容する結合部分を外側からカバー６により覆い隠して外観を良好に保っている。このカバー６は、図３に示すように、底面に開口窓６１を有するものであり、この開口窓６１を介してカバー６内に背支桿３を挿入させ、開口窓６１の内縁６２と背支桿３の間に可動隙間Ｓを設けて、該カバー６が背凭れ２のチルト動作を妨げないようしている。
【００１３】
しかして、本実施例では、図６に示すように、前記可動隙間Ｓを塞ぐ位置に、背凭れ２のチルト動作を妨げないようにして遮蔽部材７を配置している。
【００１４】
遮蔽部材７は、図４〜図８に示すように、樹脂素材から構成された平面視矩形状の板状部材であり、背支桿３を通過させる孔７２と、この孔７２の一部を開放する開口部７４とを形成し、その開口部７４を押し広げた状態で前記孔７２内に背支桿３を挿入し、開口部７４を閉じた状態で該遮蔽部材７が背支桿３の周囲に鍔状に張り出して下方側から開口窓６１と重合するように配置可能としている。その際、背支桿３の前後の傾動動作及び背凭れ２のチルト動作により背支桿３に対して図７、図８に示すように相対的に前後動する開口窓６１を常に略完全に塞ぎ得るように、その大きさが規定してある。更に、本実施例では、背支桿３がカバー６の開口窓６１近傍に凹部３１を開口させており、この凹部３１に係り合わせることができる掛け止め部７３を前記遮蔽部材７に具備させている。
【００１５】
以上における要部を更に詳しく説明すると、孔７２は、前記背支桿３の横断面形状と略一致する長円形状であり、前記遮蔽部材７を背支桿３の周囲に比較的密接に取付け得るように形成したものである。
【００１６】
開口部７４は、遮蔽部材７に設けられた切り込み７５であり、この切り込み７５は、遮蔽部材７の弾性変形を利用して、図５に示すように、左右に押し広げることができるものである。しかして、前記切り込み７５を押し広げた状態で孔７２内に背支桿３を挿入し、切り込み７５を閉じた状態で遮蔽部材７が背支桿３を取り囲むようにしている。なお、切り込み７５を閉じた状態は、遮蔽部材７の弾性復元力により保持することができる。
【００１７】
掛け止め部７３は、前記孔７２の内周面の一部分から該孔７２の中心に向かって突き出させた突起７３ａ、７３ｂからなるものであり、これらの突起７３ａ、７３ｂを共に前記凹部３１に係り合わせて、遮蔽部材７をカバー６の下面に密接に重合させた状態に保持するようにしている。
【００１８】
以上のように構成した遮蔽部材７の椅子１への取付方法について以下に説明する。
【００１９】
まず、図５に示すように、遮蔽部材７の弾性変形性を利用して切り込み７５を左右に押し広げて、掛け止め部７３の一方の突起７３ａを背支桿３に設けられた凹部３１に係わり合わせる。引き続き、遮蔽部材７で背支桿３の周囲を取り囲むように巻き回して、他方の突起７３ｂを凹部３１に係わり合わせ、このとき切り込み７５を閉じて椅子１に遮蔽部材７を取り付ける。
【００２０】
従って、以上のように構成した本実施例の椅子１は、遮蔽部材７が、背支桿３の前後の傾動動作及び背凭れ２のチルト動作により開口窓６１に対して前後動する背支桿３の周囲に鍔状に張り出して開口窓６１と重合するものとなるので、ロッキング動作に応じて背凭れ２がチルト動作する基本的な椅子１の機能を損なわずに、コンパクトな構成で前記隙間Ｓを常に略完全に塞いで該隙間Ｓに指等が入り込まないようにすることができる。この結果、例えば、背凭れ２と背支桿３との結合部分を背凭れ２の背面側全体に亘って大きなカバーで覆うような大がかりな構成を必要としないようになり、上述した効果を奏し得る椅子１を簡単な対応でしかも低コストで提供することができる。特に、前記遮蔽部材７が下方側から開口窓６１と重合するものであるので、該遮蔽部材７を目立たずに椅子１に取り付けることができるようになり、外観に悪影響を及ぼすことがない。
【００２１】
また、遮蔽部材７を弾性変形可能なものとし、この遮蔽部材７の弾性変形性を利用して切り込み７５を左右に押し広げ、孔７２の一部を開放して背支桿３に取り付けるようにしたものであるので、別段の構成を必要とせずに、従来品の椅子にも簡単に取り付けることができるようになる。特に、遮蔽部材７を弾性変形可能としておくことにより、背凭れ２のチルト動作時に遮蔽部材７と開口窓６１との間に上下方向の変位が生じる場合や、遮蔽部材７を背支桿３に対して緊密に取り付けることにより前記変位によって遮蔽部材７に外力が掛かるような場合にも、遮蔽部材７を好適に弾性変形させながらその変位に対応させることができるので、可動隙間Sをほぼ完全に無くす態様も無理なく実現することができる。加えて、掛け止め部７３を凹部３１に係り合わせて遮蔽部材７を密接にカバー６の外面に重合させて固定することができるので、遮蔽部材７が下方にずれ落ちることがなくなるとともに、衣類等が隙間Ｓに入り込むのを有効に防止することができるようになる。
【００２２】
特に、背支桿３が、カバー６の開口窓６１の近傍に最初から凹部３１を有している場合には、背支桿３にあえて加工をせずとも遮蔽部材７を係わり合わせることができるので、本発明の適用が極めて容易となる。この種の椅子としては、背支桿３の上端部が切り欠かれ、その切り欠いた位置に形成される凹部３１にカバー６の下縁の一部が挿入されて、カバー６に設ける開口窓６１がこの部分において部分的に閉じられ、開口窓６１が極力大きくならないように工夫されているものを挙げることができる。
【００２３】
なお、各部の具体的な構成は、上述した実施例に限定されるものではない。例えば簡単には、図９に示すように、遮蔽部材７が、ヒンジ部７６を介して接続された２つの遮蔽要素７１ａ、７１ｂからなり、開閉部７４が反ヒンジ端側において前記２つの遮蔽要素７１ａ、７１ｂが衝き合う位置に設定され、掛け止め部７３が各遮蔽要素７１ａ、７１ｂの反ヒンジ端部７１ａ１、７１ｂ１からそれぞれ一体に前記孔７２の中心に向かって突き出させたものを挙げることができる。なお、この変形例では、一方の遮蔽要素７１ａに、他方の遮蔽要素７１ｂ側に突出する係り合い爪７７を設け、この爪７７を他方の遮蔽要素７１bに設けた係り合い溝７８に係り合わせて、前記開閉部７４を閉じた状態を保持できるようにしている。このようにすれば、遮蔽部材７を弾性変形に乏しい素材から構成することができるため、強度向上を図る際には有効となる。
【００２４】
このような遮蔽部材は、必ずしも２つの遮蔽要素から構成される必要はなく、例えば図１０に示すように３つの遮蔽要素１７１a、１７１b、１７１cから遮蔽部材１０７を構成することもできる。この場合には、隣接する遮蔽要素１７１aー１７１b間、１７１bー１７１c間にヒンジ部１７６を設けて、遮蔽要素１７１aの反ヒンジ端と遮蔽要素１７１cの反ヒンジ端とが衝き合う位置を開閉部１７４とすればよい。
【００２５】
また、遮蔽部材は、必ずしも前記隙間の全てを塞ぐものである必要はなく、例えば指を挟み易い箇所が背支桿３の背面３a側のみである場合には、図１１に示すように前記遮蔽部材７の半割形状の遮蔽部材２０７を採用することもできる。この場合には、掛け止め部２７３を背支桿３の凹部３１に係わり合うような爪形状のものにしておけばよい。勿論、指を挟み易い箇所が背支桿３の前面側のみである場合も同様である。また、双方とも指を挟む恐れがある場合に、上記遮蔽部材３のように全体が一体をなしているものとする必要は必ずしもなく、例えば図１２に示すように、図１１で示したような遮蔽部材２０７を対をなして取り付けることにより対応しても構わない。
【００２６】
さらに、背支桿が凹部を有さない場合でも、遮蔽部材の摩擦抵抗を利用して、該遮蔽部材を背支桿に固定することができるようになり、上述した効果を奏させることができる。更に、上述した実施例のように遮蔽部材をカバーの外面に重合させて配置せずに、カバーの内面に重合させて可動隙間を塞いでもよい。
【００２７】
また、椅子の基本的構成は、上述したものに限定されるものではなく、例えば背支桿は複数本有するものでもよく、この場合複数本の背支桿の周囲に同時に鍔状に張り出して開口窓と重合するように構成した遮蔽部材により、上述した効果を奏する椅子を提供することができる。例えば、２本の背支桿が平行に開口窓を介してカバー内に挿入されている場合には、遮蔽部材を、その各々の背支桿に対応した眼鏡状の孔を有する眼鏡状のものにしておいてもよい。この場合、孔同士は独立していてもよいが、指挟みの恐れがなければ孔間を連続させ、例えば長円形状のものにしておく態様等も有効である。
【００２８】
更にまた、掛け止め部の形状や、開閉部を閉じた状態を保持することができる機構は上述したものに限られるものでなく、その他の構成も、本発明の趣旨を逸脱しない範囲で種々変更可能である。
【００２９】
【発明の効果】
以上詳述したように、本発明は、背凭れの背面側に一部に開口窓を有するカバーを設け、前記開口窓を介してカバー内に挿入した背支桿に背凭れをチルト動作可能に支持させてなるものにおいて、前記カバーの開口窓の内縁と前記背支桿との隙間を塞ぐ位置に、背凭れのチルト動作を妨げないようにして遮蔽部材を配置しているとともに、遮蔽部材が、背支桿の周囲に鍔状に張り出して開口窓と重合し、この遮蔽部材が、背支桿を通過させる孔と、この孔の一部を開放する開閉部とを形成する板状のものであり、その開閉部を押し広げた状態で孔内に背支桿を挿入し、開閉部を閉じた状態で背支桿の周囲を取り囲むように配置され、背支桿が、カバーの開口窓近傍に凹部を有し、この凹部に遮蔽部材の一部を係わり合わせて取り付けるようにし、さらに、前記遮蔽部材が、前記背支桿の凹部に係り合わせてなる掛け止め部を有し、この掛け止め部を前記凹部に係り合わせて遮蔽部材を密接にカバーの外面に重合させて固定することができるものである。
【００３０】
したがって、ロッキング動作等に応じて背凭れがチルト動作する基本的な椅子の機能を損なわずに、部分的な構成で前記隙間を塞いで該隙間に指等が入り込まないようにすることができる。この結果、例えば、背凭れと背支桿との結合部分を背凭れの背面側全体に亘って大きなカバーで覆うような大がかりな構成を必要としないようになり、指挟みを防止し得る椅子を簡単な対応でしかも低コストで提供することができる。
【００３１】
また、遮蔽部材が、背支桿の周囲に鍔状に張り出して開口窓と重合するので、背支桿の前後の傾動動作及び背凭れのチルト動作により背支桿に対して相対的に前後動する開口窓を簡単な構成で常に略完全に塞ぐことができるようになる。さらに、前記遮蔽部材が、背支桿を通過させる孔と、この孔の一部を開放する開閉部とを形成する板状のものであり、その開閉部を押し広げた状態で孔内に背支桿を挿入し、開閉部を閉じた状態で背支桿の周囲を取り囲むように配置されるものであるので、遮蔽部材を椅子に取り付けるための特別な構成を予め椅子に設ける必要なしに該遮蔽部材を椅子に取り付けることができるようになり、従来品の椅子にも簡単に取り付けることもできるようになる。加えて、前記背支桿が、カバーの開口窓近傍に凹部を有し、この凹部に遮蔽部材の一部を係わり合わせて取り付けるようにしているので、椅子に遮蔽部材を固定することができるようになり、遮蔽部材が下方にずれ落ちることがないため、長期に亘って適正な取付状態を維持することができる。そして、遮蔽部材が、カバーの外面に密接に重合させて配置されるので、外見の向上を図れるようになるとともに、特に衣類等が前記隙間に入り込むことをより的確に防止できるようになる。
【００３２】
具体的に、遮蔽部材が弾性変形可能な樹脂性のものであり、開閉部が孔の一部を開放する切り込みであれば、遮蔽部材の弾性変形性を利用して前記切り込みを左右に押し広げるだけで前記孔の一部を開放することができるとともに、遮蔽部材の弾性復元力により切り込みを閉じた状態を保持することができるようになり、該機能を極めて簡素に実現することができるようになる。或いは、遮蔽部材が、ヒンジ部を介して接続された複数の遮蔽要素からなり、開閉部が反ヒンジ端側において遮蔽要素同士が衝き合う位置に設定されていることを特徴とするものが挙げられる。
【図面の簡単な説明】
【図１】本発明の一実施例の椅子を示す斜視図。
【図２】同実施例の背凭れのチルト動作及び背支桿の傾動動作を示す部分側面図。
【図３】同実施例の可動隙間及び背支桿のチルト動作を示す模式図。
【図４】同実施例の可動隙間を示す部分斜視図。
【図５】同実施例の遮蔽部材の切り込みを押し広げた状態を示す斜視図。
【図６】同実施例の椅子に遮蔽部材を取り付けた状態を示す斜視図。
【図７】同実施例の椅子に遮蔽部材を取り付けた際の作用を示す模式図。
【図８】同実施例の椅子に遮蔽部材を取り付けた際の作用を示す模式図。
【図９】本発明の遮蔽部材の変形例を示す正面図。
【図１０】本発明の遮蔽部材の他の変形例を示す正面図。
【図１１】本発明の遮蔽部材の更に他の変形例を示す図。
【図１２】本発明の遮蔽部材の上記以外の変形例を示す図。
【符号の説明】
１・・・椅子
２・・・背凭れ
３・・・背支桿
６・・・カバー
７・・・遮蔽部材
３１・・・凹部
６１・・・開口窓
６２・・・内縁
７２・・・孔
７３・・・遮蔽部材の一部（掛け止め部）
７４・・・開閉部
７５・・・切り込み
７６・・・ヒンジ部
７１ａ、７１b・・・遮蔽要素
１０７・・・遮蔽部材
１７１a、１７１b、１７１c・・・遮蔽要素
２０７・・・遮蔽部材
２７３・・・掛け止め部
Ｓ・・・隙間
【図１】
0003993356.tif 000002
【図２】
0003993356.tif 000003
【図３】
0003993356.tif 000004
【図４】
0003993356.tif 000005
【図５】
0003993356.tif 000006
【図６】
0003993356.tif 000007
【図７】
0003993356.tif 000008
【図８】
0003993356.tif 000009
【図９】
0003993356.tif 000010
【図１０】
0003993356.tif 000011
【図１１】
0003993356.tif 000012
【図１２】
0003993356.tif 000013